【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
外部構造と、
前記外部構造内の蒸発熱交換器と、
前記外部構造内に配置されたファンアセンブリと、
前記蒸発熱交換器の下方及び前記外部構造内に配置された溝アセンブリと、
前記蒸発熱交換器の上方及び前記外部構造内に配置された蒸発液分配アセンブリと、
前記溝アセンブリの下及び前記外部構造内に配置された汚水槽と、を備え、
前記溝アセンブリは、蒸発熱交換器から落下する蒸発液の一部を収集し、収集した蒸発液を汚水槽に誘導する、
冷却塔。
【請求項２】
前記蒸発熱交換器は、間接式蒸発熱交換器である、請求項１に記載の冷却塔。
【請求項３】
前記間接式蒸発熱交換器は、板型熱交換器である、請求項２に記載の冷却塔。
【請求項４】
前記間接式蒸発熱交換器は、蛇行管型コイルである、請求項２に記載の冷却塔。
【請求項５】
前記蒸発熱交換器は、直接式熱交換器である、請求項１に記載の冷却塔。
【請求項６】
前記ファンアセンブリは、前記溝アセンブリの下方に配置される、請求項１に記載の冷却塔。
【請求項７】
前記ファンアセンブリを前記蒸発液から隔離するために、前記溝アセンブリから延在するルーバー構造を更に備える、請求項６に記載の冷却塔。
【請求項８】
前記ルーバー構造は、垂直線から９０度よりも大きい角度で延在する、請求項７に記載の冷却塔。
【請求項９】
前記ファンアセンブリは、本質的にいかなる蒸発液も流入しないように維持される、請求項６に記載の冷却塔。
【請求項１０】
前記ファンアセンブリは、前記蒸発熱交換器の上方に配置される、請求項１に記載の冷却塔。
【請求項１１】
前記溝アセンブリを出る前記蒸発液を収集し、前記収集した蒸発液を前記汚水槽内に投入する収集トラフを更に備える、請求項１に記載の冷却塔。
【請求項１２】
前記ファンアセンブリを前記蒸発液から隔離するために、前記収集トラフに近接する前記溝アセンブリから延在するトラフルーバー構造を更に備える、請求項１１に記載の冷却塔。
【請求項１３】
前記トラフルーバー構造は、前記垂直線から９０度よりも大きい角度で延在する、請求項１２に記載の冷却塔。
【請求項１４】
前記溝アセンブリは、前記汚水槽に向けて傾斜され、
こうした傾斜は、水平線から１度よりも大きい、請求項１に記載の冷却塔。
【請求項１５】
加圧水システムが前記溝アセンブリに接続される、請求項１に記載の冷却塔。
【請求項１６】
互いに向かって及び蒸発液トラフに向かって下方に傾斜する２つの溝アセンブリを更に備え、
こうしたトラフは、前記蒸発液を収集し、前記汚水槽内へ誘導する、請求項１に記載の冷却塔。
【請求項１７】
互いから遠くへ下方に傾斜する２つの溝アセンブリを更に備え、
各溝アセンブリは、蒸発液トラフに向かって傾斜し、
こうしたトラフは、前記蒸発液を収集し、前記汚水槽内へ誘導する、請求項１に記載の冷却塔。
【請求項１８】
前記汚水槽は、前記外部構造内の前記空気及び水から隔離される、請求項１に記載の冷却塔。
【請求項１９】
隔壁によって分離された２つのファンが存在する、請求項１に記載の冷却塔。
【請求項２０】
前記溝アセンブリは、頂部フレーム及び底部フレームを備える複数の近接するチャネル構造からなり、
各チャネル構造は、１次収集チャネル及び２次収集チャネルからなり、
各１次収集チャネルは、第１の端部を有し、
各２次収集チャネルは、第１の端部を有し、
１つのチャネル構造の前記１次収集チャネルのうちの少なくとも１つの前記第１の端部は、近接するチャネル構造の２次収集チャネルの前記第１の端部の上方に延在し、横方向に重複する、請求項１に記載の冷却塔。
【請求項２１】
前記頂部フレームは、一体型の空気及び水バッフルを有し、
前記底部フレームは、一体型のドリップエッジを有する、請求項２０に記載の冷却塔。
【請求項２２】
一方の端部の２次収集チャネルは、実質的に他方の２次チャネルよりも大きい、請求項２０に記載の冷却塔。
【請求項２３】
各チャネル構造は、第１の端部を有する偏向セクションからなり、
１つの収集構造の少なくとも１つの偏向セクションの前記第１の端部は、近接するチャネル構造の１次収集チャネルの前記第１の端部の上方に延在し、横方向に重複する、請求項２０に記載の冷却塔。
【請求項２４】
前記１次収集チャネルと２次収集チャネルとの間の前記チャネル構造の少なくとも１つにスロットが提供される、請求項２０に記載の冷却塔。
【請求項２５】
１次収集チャネルの少なくとも１つの第１の端部は、ドリップエッジを伴うルーバーチャネルを備える、請求項２０に記載の冷却塔。
【請求項２６】
前記溝アセンブリは、複数の近接するチャネル構造からなり、
各チャネル構造は、１次収集チャネル、２次収集チャネル、及び３次収集チャネルからなり、
各１次収集チャネルは、第１の端部を有し、
各２次収集チャネルは、第１の端部を有し、
各３次チャネルは、第１の端部を有し、
１つのチャネル構造の前記１次収集チャネルのうちの少なくとも１つの前記第１の端部は、近接するチャネル構造の２次収集チャネルの前記第１の端部の上方に延在し、横方向に重複し、
前記３次収集チャネルは、前記１次及び２次チャネルの上方に延在する、請求項１に記載の冷却塔。
【請求項２７】
一体型ダンパが各１次収集チャネルに取り付けられる、請求項２０に記載の冷却塔。
【請求項２８】
一体型ダンパが各２次収集チャネルに取り付けられる、請求項２０に記載の冷却塔。
【請求項２９】
外部構造と、
前記外部構造内の蒸発熱交換器と、
前記外部構造内に配置されたファンアセンブリと、
前記蒸発熱交換器の下方及び前記外部構造内に配置された溝アセンブリと、
前記蒸発熱交換器の上方及び前記外部構造内に配置された蒸発液分配アセンブリと、
前記溝アセンブリの下に配置された汚水槽と、を備え、
前記溝アセンブリは、蒸発熱交換器から落下する実質的にすべての前記蒸発液を収集し、収集した蒸発液を汚水槽に誘導する、
冷却塔。
【請求項３０】
前記蒸発熱交換器は、間接式蒸発熱交換器である、請求項２９に記載の冷却塔。
【請求項３１】
前記間接式蒸発熱交換器は、板型熱交換器である、請求項３０に記載の冷却塔。
【請求項３２】
前記間接式蒸発熱交換器は、蛇行管型コイルである、請求項３０に記載の冷却塔。
【請求項３３】
前記蒸発熱交換器は、直接式熱交換器である、請求項２９に記載の冷却塔。
【請求項３４】
前記ファンアセンブリは、前記溝アセンブリの下方に配置される、請求項２９に記載の冷却塔。
【請求項３５】
前記ファンアセンブリは、本質的にいかなる蒸発液も流入しないように維持される、請求項３４に記載の冷却塔。
【請求項３６】
前記ファンアセンブリは、前記蒸発熱交換器の上方に配置される、請求項２９に記載の冷却塔。
【請求項３７】
前記溝アセンブリを出る前記蒸発液を収集し、前記収集した蒸発液を前記汚水槽内に投入する収集トラフを更に備える、請求項２９に記載の冷却塔。
【請求項３８】
前記溝アセンブリは、前記汚水槽に向けて傾斜され、
こうした傾斜は、水平線から１度よりも大きい、請求項２９に記載の冷却塔。
【請求項３９】
加圧水システムが前記溝アセンブリに接続される、請求項２９に記載の冷却塔。
【請求項４０】
互いに向かって及び蒸発液トラフに向かって下方に傾斜する２つの溝アセンブリを更に備え、
こうしたトラフは、前記蒸発液を収集し、前記汚水槽内へ誘導する、請求項２９に記載の冷却塔。
【請求項４１】
互いから遠くへ下方に傾斜する２つの溝アセンブリを更に備え、
各溝アセンブリは、蒸発液トラフに向かって傾斜し、
こうしたトラフは、前記蒸発液を収集し、前記汚水槽内へ誘導する、請求項２９に記載の冷却塔。
【請求項４２】
前記汚水槽は、前記外部構造内に配置される、請求項２９に記載の冷却塔。
【請求項４３】
前記汚水槽は、前記外部構造内の前記空気及び水から隔離される、請求項４２に記載の冷却塔。
【請求項４４】
前記汚水槽は、前記外部構造の外に配置される、請求項２９に記載の冷却塔。
【請求項４５】
前記汚水槽は、前記外部構造に取り付けられ、前記外部構造内の前記空気及び水から隔離される、請求項４４に記載の冷却塔。
【請求項４６】
前記ファンアセンブリは、前記蒸発熱交換器の下方に配置され、
前記汚水槽は、前記ファンアセンブリの上方に配置される、請求項２９に記載の冷却塔。
【請求項４７】
隔壁によって分離された２つのファンが存在する、請求項２９に記載の冷却塔。
【請求項４８】
前記溝アセンブリは、頂部フレーム及び底部フレームを備える複数の近接するチャネル構造からなり、
各チャネル構造は、１次収集チャネル及び２次収集チャネルからなり、
各１次収集チャネルは、第１の端部を有し、
各２次収集チャネルは、第１の端部を有し、
１つのチャネル構造の前記１次収集チャネルのうちの少なくとも１つの前記第１の端部は、近接するチャネル構造の２次収集チャネルの前記第１の端部の上方に延在し、横方向に重複する、請求項２９に記載の冷却塔。
【請求項４９】
前記頂部フレームは、一体型の空気及び水バッフルを有し、
前記底部フレームは、一体型のドリップエッジを有する、請求項４８に記載の冷却塔。
【請求項５０】
一方の端部の２次収集チャネルは、実質的に他方の２次チャネルよりも大きい、請求項４８に記載の冷却塔。
【請求項５１】
各チャネル構造は、第１の端部を有する偏向セクションからなり、
１つの収集構造の少なくとも１つの偏向セクションの前記第１の端部は、近接するチャネル構造の１次収集チャネルの前記第１の端部の上方に延在し、横方向に重複する、請求項４８に記載の冷却塔。
【請求項５２】
前記１次収集チャネルと２次収集チャネルとの間の前記チャネル構造の少なくとも１つにスロットが提供される、請求項４８に記載の冷却塔。
【請求項５３】
１次収集チャネルの少なくとも１つの第１の端部が、ドリップエッジを伴うルーバーチャネルを備える、請求項４８に記載の冷却塔。
【請求項５４】
前記溝アセンブリは、複数の近接するチャネル構造からなり、
各チャネル構造は、１次収集チャネル、２次収集チャネル、及び３次収集チャネルからなり、
各１次収集チャネルは、第１の端部を有し、
各２次収集チャネルは、第１の端部を有し、
各３次チャネルは、第１の端部を有し、
１つのチャネル構造の前記１次収集チャネルのうちの少なくとも１つの前記第１の端部は、近接するチャネル構造の２次収集チャネルの前記第１の端部の上方に延在し、横方向に重複し、
前記３次収集チャネルは、前記１次及び２次チャネルの上方に延在する、請求項２９に記載の冷却塔。
【請求項５５】
一体型ダンパが各１次収集チャネルに取り付けられる、請求項４８に記載の冷却塔。
【請求項５６】
一体型ダンパが各２次収集チャネルに取り付けられる、請求項４８に記載の冷却塔。
【請求項５７】
バッフル及び最低蒸発流体レベルが、前記外部構造を前記汚水槽から分離及びシーリングし、
蒸発液は、前記バッフルの下方を前記汚水槽へと流れる、請求項４５に記載の冷却塔。
【請求項５８】
外部構造と、
汚水槽と、
前記外部構造内の蒸発熱交換器と、
前記外部構造内の蒸発液分配アセンブリであって、前記蒸発熱交換器上に蒸発液を分配するように構成された、蒸発液分配アセンブリと、
前記蒸発熱交換機から落下する蒸発液を収集するように構成された収集器と、
前記収集器の下方のファンアセンブリと、
前記外部構造内のルーバーと、を備え、
前記収集器は、前記収集された蒸発液を、前記ファンアセンブリから離れるように前記汚水槽に向けて誘導するように構成され、
前記ルーバーは、前記蒸発液が前記収集器を出た後、かつ前記蒸発液が前記汚水槽に到達する前に、前記ファンアセンブリからの空気流が前記外部構造内の前記ルーバーを通過して前記蒸発液に接触することを可能にするように構成される、
冷却塔。
【請求項５９】
前記収集器は、下方に傾斜する収集器を含み、
前記下方に傾斜する収集器は、上昇端部および前記上昇端部の反対側の下降端部を含み、
前記ルーバーは、前記下方に傾斜する収集器の前記下降端部に近接する、請求項５８に記載の冷却塔。
【請求項６０】
前記冷却塔は、湿潤領域および乾燥領域を含み、
前記ルーバーは、前記湿潤領域と前記乾燥領域を分離する、請求項５８に記載の冷却塔。
【請求項６１】
前記ルーバーは、前記収集器と前記汚水槽の間に介在する、請求項５８に記載の冷却塔。
【請求項６２】
前記ルーバーは、垂直に対して横切って延在する、請求項５８に記載の冷却塔。
【請求項６３】
前記収集器は、前記ファンアセンブリからの空気流が前記収集器を通過することを可能にする開口部を含む、請求項５８に記載の冷却塔。
【請求項６４】
前記外部構造は、１対の対向する側壁を含み、
前記ファンアセンブリは、前記側壁のうちの１つに取り付けられる、請求項５８に記載の冷却塔。
【請求項６５】
前記収集器は、前記１つの側壁の近傍から前記汚水槽に向かって下方に傾斜する、請求項６４に記載の冷却塔。
【請求項６６】
前記収集器は、溝アセンブリを含み、
前記溝アセンブリは、前記蒸発熱交換器から落下する蒸発液を収集する複数のチャネルと、前記ファンアセンブリからの空気流が前記溝アセンブリを通って流れることを可能にする前記チャネル間の空隙と、を備える、請求項５８に記載の冷却塔。
【請求項６７】
前記収集器は、複数の近接するチャネル構造を備える溝アセンブリを含み、
前記複数の近接するチャネル構造は、それぞれ１次チャネルおよび２次チャネルを含む、請求項５８に記載の冷却塔。
【請求項６８】
各１次収集チャネルは第１の端部を含み、各２次チャネルは第１の端部を含み、
１つのチャネル構造の前記１次収集チャネルの前記第１の端部は、近接するチャネル構造の前記２次収集チャネルの前記第１の端部の上方に延在し、横方向に重複する、請求項６７に記載の冷却塔。
【請求項６９】
間隔を空けて配置された側壁を有する外部構造と、
前記側壁の間の、前記外部構造内の蒸発熱交換器と、
前記蒸発熱交換器上に蒸発液を分配するように構成された蒸発液分配アセンブリと、
汚水槽と、
前記外部構造の前記側壁のうちの１つの近傍から前記外部構造の他方の側壁に向かって下方に傾斜する傾斜収集器と、
前記傾斜収集器の下方のファンアセンブリと、を備え、
前記傾斜収集器は、前記蒸発熱交換器からの前記蒸発液の少なくとも一部を収集する複数のチャネルを含み、
前記傾斜収集器は、前記ファンアセンブリによって生成された空気流が前記収集器を通過することを可能にする、前記チャネルの間に介在する開口部を含み、
前記傾斜収集器は、前記収集された蒸発流体を前記汚水槽に向けて前記ファンアセンブリから離れるように誘導する、
冷却塔。
【請求項７０】
前記傾斜収集器は、前記側壁のうちの前記１つの近傍から、前記外部構造の前記他方の側壁の近傍へと下方に傾斜する、請求項６９に記載の冷却塔。
【請求項７１】
前記傾斜収集器は、前記側壁のうちの前記１つに取り付けられる、請求項６９に記載の冷却塔。
【請求項７２】
前記チャネルは、複数の１次チャネルおよび複数の２次チャネルを含む、請求項６９に記載の冷却塔。
【請求項７３】
各１次収集チャネルは第１の端部を含み、各２次チャネルは第１の端部を含み、
前記１次収集チャネルの前記第１の端部は、近接する２次収集チャネルの前記第１の端部の上方に延在し、横方向に重複する、請求項７２に記載の冷却塔。
【請求項７４】
前記チャネルは、複数の１次チャネルおよび複数の２次チャネルのアセンブリを含む、請求項６９に記載の冷却塔。
【請求項７５】
前記傾斜収集器から前記収集された蒸発流体を受け取って前記蒸発流体を前記汚水槽内に誘導するように構成された容器をさらに備える、請求項６９に記載の冷却塔。
【請求項７６】
蒸発熱交換機と、
ファンアセンブリと、
前記蒸発熱交換器の下方の溝アセンブリと、
蒸発液分配アセンブリと、
汚水槽と、を備え、
前記蒸発液分配アセンブリは、前記蒸発熱交換器上に蒸発液を分配するように構成され、
前記溝アセンブリは、前記蒸発熱交換器から前記蒸発液の少なくとも一部を収集し、前記収集された蒸発液を前記汚水槽に向けて誘導し、
前記溝アセンブリは、複数の長手方向に延在する細長いチャネル部材を含み、
各チャネル部材は、前記チャネル部材の両側に１次収集チャネルおよび２次収集チャネルを含み、
各チャネル部材は、前記チャネル部材の前記２次収集チャネルの上方に延在し、横方向に重複する偏向板を含み、
前記偏向板は、前記チャネル部材の前記１次収集チャネルに向けて蒸発液を誘導するように構成された表面部分を含み、
前記複数のチャネル部材のうちの１つのチャネル部材の前記１次収集チャネルは、近接するチャネル部材の前記偏向板と前記２次収集チャネルの間に延在し、横方向に重複し、その結果、前記１つのチャネル部材の前記偏向板の前記表面部分は、前記１つのチャネル部材の前記１次収集チャネル内に蒸発流体を誘導し、前記１つのチャネル部材の前記１次収集チャネルから溢れる蒸発液は、前記近接するチャネル部材の前記２次収集チャネルに受け取られる、
冷却塔。
【請求項７７】
各１次収集チャネルは第１の端部を含み、各２次収集チャネルは第１の端部を含み、
前記チャネル部材の前記１次収集チャネルの前記第１の端部は、前記近接するチャネル部材の前記２次収集チャネルの前記第１の端部を横方向に越えて上方に延在する、請求項７６に記載の冷却塔。
【請求項７８】
前記１つのチャネル部材の前記１次収集チャネルの前記第１の端部は、リップを含み、
前記隣接するチャネル部材の前記２次収集チャネルの前記第１の端部は、リップを含む、請求項７７に記載の冷却塔。
【請求項７９】
前記偏向板は、前記表面部分をその上に有する湾曲部分を含む、請求項７６に記載の冷却塔。
【請求項８０】
前記１次収集チャネル、前記２次収集チャネル、および前記偏向板は、それぞれ長手方向のエッジを含む、請求項７６に記載の冷却塔。
【請求項８１】
前記２次収集チャネルは、前記偏向板に向かって延在するリップを含む、請求項７６に記載の冷却塔。